(57)【要約】【課題】  装置を小型にすると共に、迅速且つ自動的にシャーベットを生成できる製氷装置を提供する。【解決手段】  フレーム１と、中空の製氷筒体１０と、該製氷筒体１０の外側と密着する急冷装置２０と、該製氷筒体１０の内壁と密接する駆動機構３０と、該製氷筒体１０の上方と連接する液体供給装置４０とを備える製氷装置であって、前記急冷装置２０は製氷筒体１０の外側と密着する半導体の急冷部材２１と、該急冷部材２１の外側と密接される熱放散器２２とを有し、前記駆動機構３０はフレーム１の上部に固定される変速モータ３１と、該変速モータの中心軸と結合する主歯車３２と、該主歯車と噛合すると共に、フレームに軸支する伝動歯車３３と、該伝動歯車と噛合する連動歯車３４と、該連動歯車の下側に設置されると共に、製氷筒体の内壁と密接する螺旋ロッド３５とを有し、前記液体供給装置４０はカップ状の液体供給部４１と、該液体供給部４１と製氷筒体１０との間に連接される液体供給管４２とを有する構成とした。【選択図】  図３
0003104406.tif 000002
【実用新案登録請求の範囲】
【請求項１】
フレームと、中空の製氷筒体と、該製氷筒体の外側と密着する急冷装置と、該製氷筒体の内壁と密接する駆動機構と、該製氷筒体の上方と連接する液体供給装置とを備える製氷装置であって、
前記急冷装置は製氷筒体の外側と密着する半導体の急冷部材と、該急冷部材の外側と密接される熱放散器とを有し、
前記駆動機構はフレームの上部に固定される変速モータと、該変速モータの中心軸と結合する主歯車と、該主歯車と噛合すると共に、フレームに軸支された伝動歯車と、該伝動歯車と噛合する連動歯車と、該連動歯車の下側に設置されると共に、製氷筒体の内壁と密接する螺旋ロッドとを有し、
前記液体供給装置はカップ状の液体供給部と、該液体供給部と製氷筒体との間に連接される液体供給管とを有することを特徴とする製氷装置。
【請求項２】
前記中空の製氷筒体の内部に上下貫通の製氷部が形成されると共に、上部に内径がより大きくの液体供給溝が形成されると共に、該液体供給溝に液体供給装置の液体供給管と連接する液体供給口が形成されることを特徴とする請求項１に記載の製氷装置。
【請求項３】
前記熱放散器とフレームとの間に放熱ファンが設けられ、前記液体供給部の下部に制御装置が設けられ、該制御装置に液体供給管と液体供給部と連通できる貫通孔が形成されると共に、外側の一端に制御つまみが設けられ、該製氷筒体の外側に断熱の外殻体が設けられることを特徴とする請求項１又は２に記載の製氷装置。
【考案の詳細な説明】
【技術分野】
【０００１】
本考案は、特に、装置全体を小型にすると共に、迅速且つ自動的にシャーベットを生成できるようにした製氷装置に関するものである。
【背景技術】
【０００２】
従来のシャーベット製造方法は、液体からブロック状の製氷を形成した後、シャーベット成形機によって雪のようなシャーベットを製造している。昨今では、シャーベットを迅速に製造するため、シャーベット製造機が開発され、この製造機の底部に急冷装置を設け、液体、例えば牛乳やジュースなどをシャーベット製造機に注ぎこれを製氷し、使用者はこの製氷されたものを攪拌することによりシャーベットを製造するようにしている。
【考案の開示】
【考案が解決しようとする課題】
【０００３】
しかしながら、前記シャーベット製造機は急速にシャーベットを製造できるが、使用者は自らが製氷を攪拌する必要があるので、非常に面倒であり、更に、製氷の攪拌時間が長くなると、氷が硬くなるので、ふわふわの食感を有するシャーベットを製造することができない。
又、前記シャーベット製造機は大型となるので、一般の家庭で使用することができない。
【０００４】
そこで、案出されたのが本考案であって、装置全体を小型にすると共に迅速且つ自動的にシャーベットを生成できる製氷装置を提供することを目的としている。
【課題を解決するための手段】
【０００５】
本願の請求項１の考案は、フレームと、中空の製氷筒体と、該製氷筒体の外側と密着する急冷装置と、該製氷筒体の内壁と密接する駆動機構と、該製氷筒体の上方と連接する液体供給装置とを備える製氷装置であって、前記急冷装置は製氷筒体の外側と密着する半導体の急冷部材と、該急冷部材の外側と密接される熱放散器とを有し、前記駆動機構はフレームの上部に固定される変速モータと、該変速モータの中心軸と結合する主歯車と、該主歯車と噛合すると共に、フレームに枢設する伝動歯車と、該伝動歯車と噛合する連動歯車と、該連動歯車の下側に設置されると共に、製氷筒体の内壁と密接する螺旋ロッドとを有し、前記液体供給装置はカップ状の液体供給部と、該液体供給部と製氷筒体との間に連接される液体供給管とを有することを特徴とする。
【０００６】
本願の請求項２の考案は、請求項１に記載の製氷装置において、前記中空の製氷筒体の内部に上下貫通の製氷部が形成されると共に、上部に内径がより大きい液体供給溝が形成されると共に、該液体供給溝に液体供給装置の液体供給管と連接する液体供給口が形成されることを特徴とする。
【０００７】
本願の請求項３の考案は、請求項１又は２に記載の製氷装置において、前記熱放散器とフレームとの間にファンが設けられ、前記液体供給部の下部に制御装置が設けられ、該制御装置に液体供給管と液体供給部と連通できる貫通孔が形成されると共に、外側の一端に制御つまみが設けられ、該製氷筒体の外側に断熱の外殻が設けられることを特徴とする。
【考案の効果】
【０００８】
本考案は上記の課題を解決するものであり、装置全体を小型にでき、かつ急冷部材は製氷筒体の温度をマイナス十度以下まで急冷し、液体を液体供給装置の液体供給部に注ぐことで、制御装置の貫通孔と液体供給管を通して製氷筒体における製氷部の内壁に流入させて直ちに製氷して駆動機構を起動することで、螺旋ロッドが氷を削ることにより、シャーベットを容易に製造することができる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１０】
図１は本考案に係る製氷装置の一実施例を示す斜視図であり、図２は本考案に係る製氷装置の分解斜視図であり、図３は本考案に係る製氷装置の断面図である。
【００１１】
図１乃至図３に示すように、本考案に係る製氷装置は、フレーム１と、中空の製氷筒体１０と、該製氷筒体１０の外側と密着する急冷装置２０と、該製氷筒体１０の内壁と密接する駆動機構３０と、該製氷筒体１０の上方と連接する液体供給装置４０と、を備え、液体を液体供給装置４０から製氷筒体１０の内壁に注ぐことで直ぐに氷が形成され、製氷筒体１０の内壁と密接する駆動装置３０で、前記形成された氷を削ることにより、シャーベット状に製造する。
前記中空の製氷筒体１０の内部に上下貫通の製氷部１１が設けられ、上部に内径がより大きい液体供給溝１２が形成されると共に、該液体供給溝１２に液体供給口１３が形成されている。
【００１２】
前記急冷装置２０は、製氷筒体１０の外側と密着する半導体の急冷部材２１と、該急冷部材２１の外側と密接される熱放散器２２と、該熱放散器２２と密着すると共に、フレーム１に固定するファン２３とを有し、又、該製氷筒体１０の外側に断熱の外殻体１４が設けられる。
【００１３】
前記駆動機構３０は、フレーム１の上部に設置固定される変速モータ３１と、該変速モータ３１の中心軸と結合する主歯車３２と、該主歯車３２と噛合すると共にフレーム１に軸支された伝動歯車３３と、該伝動歯車３３と噛合する連動歯車３４と、該連動歯車３４の下側に延設されると共に製氷筒体１０における製氷部１１の内壁と密接する螺旋ロッド３５と、を有する。
【００１４】
前記液体供給装置４０はカップ状の液体供給部４１と、該液体供給部４１と液体供給口１３との間に連接される液体供給管４２と、液体供給部４１の下部に設置されると共に、流量を制御する制御装置４３とを備え、該制御装置４３に液体供給管４２と液体供給部１３と連通できる貫通孔４３１が形成されると共に、外側の一端に制御つまみ４３２が設けられることにより、液体の流量を制御する。
【００１５】
本考案に係る製氷装置を使用する場合、急冷部材２１が製氷筒体１０の温度をマイナス十度以下まで急冷し、急冷部材２１から発生する熱が熱放散器２２とファン２３によって外側へ排出される。液体を液体供給装置４０の液体供給部４１に注ぎ込むと、制御装置４３の貫通孔４３１と液体供給管４２を通して製氷筒体１０における製氷部１１の内壁に流入して直ぐに製氷され、駆動機構３０の起動によって、前記螺旋ロッド３５におけるねじ山部３５１が前記製氷を削ることにより、シャーベット状に製造すると共に、製氷筒体１０の下方に設置された容器Ａに落下して収納される。
【００１６】
又、前記変速モータ３１の回転速度を制御することにより、製氷を異なる食感を有するシャーベット状に製造することができる。
【００１７】
前記駆動機構３０の変速モータ３１の代わりに、手動操作によって主歯車３２を回転させて製氷部１１の内壁と密接する螺旋ロッド３５回転させてもよく、あるいは又、手動操作によって伝動歯車３３を駆動させて製氷部１１の内壁と密接する螺旋ロッド３５を回転させるようにしてももよい。
【実施例２】
【００１８】
図４は本考案に係る製氷装置の第２実施例を示す分解斜視図であり、図５は本考案に係る製氷装置の第２実施例を示す斜視図である。
【００１９】
図４及び図５に示す製氷装置は前記の第１実施例と殆ど等しく、異なる部分は前記第１実施例における急冷装置２０の数量は２個であったが、第２実施例においては急冷装置２０の数量を１個にしたものである。
【００２０】
第２実施例におけるその他の構成は、前述の第１実施例に示す構成と同様であるので、同一部分には同一符号を付してその説明を省略する。
【産業上の利用可能性】
【００２１】
本考案は上記の構成を有するので、急冷部材は製氷筒体の温度をマイナス十度以下まで急冷し、液体を液体供給装置の液体供給部に注ぎ制御装置の貫通孔と液体供給管を通して製氷筒体における製氷部の内壁に流入させると、直ちに製氷され、駆動機構を起動することで、螺旋ロッドが前記製氷された氷を削ることにより、シャーベット状に製造することができる。
【図面の簡単な説明】
【００２２】
【図１】本考案に係る製氷装置の第１実施例を示す斜視図である。
【図２】本考案に係る製氷装置の第１実施例を示す分解斜視図である。
【図３】本考案に係る製氷装置の第１実施例を示す断面図である。
【図４】本考案に係る製氷装置の第２実施例を示す分解斜視図である。
【図５】本考案に係る製氷装置の第２実施例を示す斜視図である。
【符号の説明】
【００２３】
１          フレーム
１０        製氷筒体
１１        製氷部
１２        液体供給溝
１３        液体供給口
１４        外殻体
２０        急冷装置
２１        急冷部材
２２        熱放散器
２３        ファン
３０        駆動機構
３１        変速モータ
３２        主歯車
３３        伝動歯車
３４        連動歯車
３５        螺旋ロッド
３５１      ねじ山部
４０        液体供給装置
４１        液体供給部
４２        液体供給管
４３        制御装置
４３１      貫通孔
４３２      制御つまみ
【図１】
0003104406.tif 000003
【図２】
0003104406.tif 000004
【図３】
0003104406.tif 000005
【図４】
0003104406.tif 000006
【図５】
0003104406.tif 000007